(57)【要約】【課題】  本考案は枕に穴を設け、その穴から外側まで音の通る通路があり、耳を圧迫されずにテレビやラジオの音を聞けるようにする。【解決手段】  本考案は枕本体１に耳を入れる穴３を設け、その外側に音を聞こえやすくする通路４を設けたことにより、横向きに寝ながら音が聞こえるようになっている。【選択図】図１
0003125190.tif 000002
【実用新案登録請求の範囲】
【請求項１】
まくらの中央に耳を入れる穴があいていて、その穴から外側まで音が聞こえるように設けた通路があり、横向きに寝るとき耳が圧迫されずに音が良く聞こえるようにした横向寝用枕。
【請求項２】
耳を入れる穴は丸く、左右どちらの耳でも使用できる。又、枕の形は頭をのせても形はしっかりしていて、耳がふれる面は柔らかい素材で出来ている。
【請求項３】
枕の中身は発泡ウレタンで、まわりのカバーは布で出来ている。
【請求項４】
耳を入れる穴と、そこから外に向かって音の通る溝があれば、外側の形は丸、楕円、ハート形、角形など自由に出来る。又、全体の厚みは約８ｃｍ位とする。
【考案の詳細な説明】
【技術分野】
【０００１】  本考案は、横向きに寝たときに、音が聞きやすいように、中央に穴をつけた、まくらに関するものである。
【背景技術】
【０００２】  病院に入院している人や病中の人、横向きでなければ寝れないような人は、寝ながらテレビを見る場合、片方の耳が塞がってしまうので、音が非常に聞きずらかった。
【考案の開示】
【考案が解決しようとする課題】
【０００３】  病中の人は、体を起こすことが困難であることも多く、また、テレビの音を大きくするのも周りに迷惑が掛かってしまう。従って、まくらに穴を開けることによって、寝ながらにして音を聞くことが可能になり、前述の欠点を解決しようとするものである。
【課題を解決するための手段】
【０００４】  本考案は、まくらの中央部分に穴を開け、横向きにねて、耳をまくらの穴部分に入れたとき、十分に入る大きさになっており、又、まくらに頭をのせたときに、つぶれて変形しすぎない程度の形を保つ、発泡ウレタンをまくらに使用するため、音の通り道を確保できることにより問題点を解決している。
【考案の効果】
【０００５】  上述の様に、本考案の横向き寝耳らくまくらは、横向きに寝たときに耳が圧迫されず、前方からの音も良く聞こえることは勿論、特に女性の方などは、下側になる目のまわりの肌のあたりも圧迫されないために、目じりのあたりにしわが出来にくい。又、イビキをかく人や腰痛の人が横向きに寝るときも楽である。
【考案を実施するための最良の形態】
【０００６】  まくら本体の全体の形は、発泡ウレタンを使用し、やわらか過ぎず形を保つようにし、耳や顔がふれる部分は、肌にやさしい感じのやわらかさにする。
【実施例】
【０００７】  以下、添付図面にしたがって一実施例を説明する、１は発泡ウレタンの素材で一体成形されたまくら、２は布製のカバーで肌にやさしい素材である。３は横向きに寝るときに耳を入れる穴、４はテレビ、ラジオ等の音が聞こえてくる通路。【０００８】  本案の一実施例は上述の如き構成からなるものであるから、まくらが耳を圧迫することなく音を聞くのにもちいることは勿論であるが、通常上向きに寝る枕として使用することも出来る。又、うつ伏せで寝る場合にも呼吸が楽に出来る。
【図面の簡単な説明】
【０００９】
【図１】  本考案の横向き寝耳らくまくらの一実施例を示す上面図である。
【図２】  本まくらの一部切欠断面図である。
【図３】  本まくらの全体図である。
【符号の説明】
【００１０】１  横向き寝用枕本体
２  布製カバー
３  耳を入れる穴
４  音が聞こえる通路
【図１】
0003125190.tif 000003
【図２】
0003125190.tif 000004
【図３】
0003125190.tif 000005
【手続補正書】
【提出日】平成18年6月12日(2006.6.12)
【手続補正１】
【補正対象書類名】実用新案登録請求の範囲
【補正対象項目名】全文
【補正方法】変更
【補正の内容】
【実用新案登録請求の範囲】
【請求項１】
円形状のまくらの中央に、横向きに寝た時耳を塞がないように開けた穴を設け、その穴から一側面に通音道を開け、その通音道の左右の先端部を八の字型に広げたのを特徴にした横向寝用枕。
【手続補正２】
【補正対象書類名】明細書
【補正対象項目名】全文
【補正方法】変更
【補正の内容】
【考案の詳細な説明】
【技術分野】
【０００１】  本考案は横向に寝たときに、音を聞きやすいようにした、横向寝用枕。
【背景技術】
【０００２】  病院に入院している人や病中の人、横向きでなければ寝れないような人は寝ながらテレビを見る時、通常の枕では片方の耳が塞がるので音が聞きずらかった。
【考案の開示】
【考案が解決しようとする課題】
【０００３】  病中の人は、体を起こすことが困難であることも多く、また、テレビの音を大きくするのも周りに迷惑が掛かってしまう。従って、まくらに耳を塞がないようにした部分と音の通る通路、音の集音口、集音部分を八の字型に開くことにより音を集めるため、寝ながらにして音を聞くことが可能になり、前述の欠点を解決しようとするものである。
【課題を解決するための手段】
【０００４】  本考案は、円形状の枕の中央部分に、横になって耳をあてた時耳を塞がない状態に形成された穴２を開け、その穴２から一側面に通音道３を通しその３の先に、八の字型に開いた集音部４を設けることにより集音口５より音を集め、５から入った音が通音道３を通り２へ集音されることにより問題点を解決している。又、枕に頭を乗せた時につぶれて変形し過ぎない形体を保つ発泡ウレタンを使用する。
【考案の効果】
【０００５】  上述の様に、本考案の横向寝用枕は、横向きに寝た時に耳が塞がれず、八の字型に開いた集音部により、集音口より音が集められ音を良く聞くことが出来る。
【考案を実施するための最良の形態】
【０００６】  まくら本体１を、八の字型に開いた集音部４が音源の方向に向くように置き、横向きに寝た姿勢で耳が塞がらない状態になるように、耳を「耳を入れる穴２」の位置に入れる。
【実施例】
【０００７】  以下、添付図面に従って一実施例を説明する。１は発泡ウレタンの素材で一体成形された枕本体、２は横向きに寝て頭を枕に置いた時に耳を入れる穴で、この耳を入れる穴２から一側面に通音道３を通し、その通音道３の先に八の字型に開いた集音部４があり、集音口５を形成している。通音道３より八の字型に開いた集音部４がやや広がっていることにより音を集音しやすくなっている。【０００８】  本案の一実施例は上述の如き構成からなるものであるから、まくらが耳を圧迫することなく音を聞くのに用いるのは勿論であるが、通常上向きに寝る枕として使用することも出来る。又、うつ伏せで寝る場合にも呼吸が楽に出来る。
【図面の簡単な説明】
【０００９】
【図１】  本考案の横向寝用枕の一実施例を示す上面図である。
【図２】  本まくらの正面図である。
【図３】  本まくらの全体図である。
【符号の説明】
【００１０】  １  横向寝用枕本体
２  耳を入れる穴
３  通音道
４  八の字型に開いた集音部
５  集音口
【手続補正３】
【補正対象書類名】図面
【補正対象項目名】全図
【補正方法】変更
【補正の内容】
【図１】
0003125190.tif 000006
【図２】
0003125190.tif 000007
【図３】
0003125190.tif 000008